(57)【要約】【課題】  機器に付与する機器名称の設定に誤りが発生することを防止し、また管理者の負担を軽減することが可能な通信設定支援方法を提供する。【解決手段】  制御装置１により、機器２に予め設定された第１の識別情報を読み取り、読み取った第１の識別情報を記憶する。一方機器２により、その機器を識別するための、固有の第２識別情報を受け付け、受け付けた第２の識別情報を機器２から制御装置１へ出力する。制御装置１は、出力された第２の識別情報を記憶した第１の識別情報に対応づけて記憶する。【選択図】        図１
2007159149.tif 000002
【特許請求の範囲】
【請求項１】
複数の冷却装置を備える設備用機器及び該設備用機器を制御する制御装置間の通信設定を支援する通信設定支援方法において、
前記制御装置により、前記設備用機器に予め設定された第１の識別情報を読み取り、該読み取った第１の識別情報を記憶しておき、
前記設備用機器により、該設備用機器を識別するための、固有の第２の識別情報を該設備用機器の入力部から受け付け、該受け付けた第２の識別情報を前記設備用機器から前記制御装置へ出力し、
前記制御装置により、前記出力された第２の識別情報を前記記憶した第１の識別情報に対応づけて記憶し、前記制御装置の入力部から設備用機器毎の設定温度条件を受け付け、該受け付けた設備用機器毎の設定温度条件を前記第１の識別情報及び第２の識別情報に対応づけて記憶する
ことを特徴とする通信設定支援方法。
【請求項２】
複数の冷却装置を備える設備用機器及び該設備用機器を制御する制御装置により構成され、前記設備用機器及び前記制御装置間の通信設定を支援する通信設定支援システムにおいて、
前記制御装置は、
前記設備用機器に予め設定された第１の識別情報を読み取る手段と、
該読み取った第１の識別情報を記憶する手段と
を備え、
前記設備用機器は、
それを識別するための、固有の第２の識別情報を該設備用機器の入力部から受け付ける手段と、
該受け付けた第２の識別情報を前記制御装置へ出力する手段と
を備え、
前記制御装置は、
前記出力された第２の識別情報を前記記憶した第１の識別情報に対応づけて記憶する手段と、前記制御装置の入力部から設備用機器毎の設定温度条件を受け付ける手段と、該受け付けた設備用機器毎の設定温度条件を前記第１の識別情報及び第２の識別情報に対応付けて記憶する手段と
を更に備えることを特徴とする通信設定支援システム。
【発明の詳細な説明】
【技術分野】
【０００１】
本発明は、複数の機器及び該機器を制御する制御装置間の通信設定を支援する通信設定支援方法及び通信設定支援システムに関する。
【背景技術】
【０００２】
店舗、ビルディング等の施設には、冷却装置を備えるショーケース、空調機及び照明等、複数の機器が設置されており、さらにこれら複数の機器を集中管理する制御装置が設けられている。制御装置は各機器の起動、停止、または温度制御をおこなう。そのため、各機器を個別に識別して制御する必要がある。
【０００３】
図７は従来の機器識別方法を示す説明図である。図に示すように制御装置１００には通信ケーブル１０７を介してショーケース等の各機器２００，２００，２００…が接続されている。機器２００には図示しないディップスイッチが設けられており、管理者が機器２００固有の値を設定する。ディップスイッチの設定は制御装置１００に読み取られ、記憶部１０５に記憶され、また表示部１０４に表示される。図８は記憶部１０５のレコード内容を示す説明図である。図に示すように接続ポート番号に対応させて読み取ったディップスイッチコードが記憶されている。さらにディップスイッチコードに対応させて各機器２００，２００…の機器名及び各機器の温度条件等の制御条件が記憶されている。
【０００４】
ディップスイッチコードは一般に複数の数字の行列であって、管理者が直感的に各機器を識別することが困難であることから、管理者が制御装置１００の近くに赴き、制御装置１００の入力部１０３から各機器２００に対する適当な機器名（名称）を全て入力する。続いて、各機器２００の制御条件を、入力した機器名を参照して入力部１０３から入力する。なお、記憶部１０５の記憶内容は表示部１０４に表示される。
【発明の開示】
【発明が解決しようとする課題】
【０００５】
しかしながら、従来の方法は、管理者が店舗またはビルディング等の施設の各機器まで移動してディップスイッチを設定し、その設定した値と、機器名とを用紙等に控えておき、後に制御装置１００の近辺に赴き入力部１０３から、用紙に控えた機器名を、ディップスイッチコードに対応させて入力する必要がある。そのためその作業途中で、機器２００に誤って他の機器の名称を設定してしまうことが多く、そのため制御条件も、他の機器のものを設定してしまうことがあり、施設の商品等に悪影響を与えかねないという問題が、潜在的に存在していた。特に、施設に設置される機器の種類、及び設置数も増加しており、かかる弊害が顕著となっていた。
【０００６】
本発明は斯かる事情に鑑みてなされたものであり、その目的とするところは、機器にＭＡＣ(Media Access Control)アドレス等の第１の識別情報を付与すると共に、機器において、該機器を識別するための、固有の第２の識別情報を受け付けさせることにより、施設に設置される機器に付与する機器名称の設定に誤りが発生することを防止し、また管理者の負担を軽減することが可能な通信設定支援方法及び通信設定支援システムを提供することにある。
【０００７】
さらに、本発明の他の目的は、機器名称を入力する場合に、携帯情報端末を用いることにより、さらに管理者の負担を軽減することが可能な通信設定支援方法及び通信設定支援システムを提供することにある。
【課題を解決するための手段】
【０００８】
第１発明に係る通信設定支援方法は、複数の冷却装置を備える設備用機器及び該設備用機器を制御する制御装置間の通信設定を支援する通信設定支援方法において、前記制御装置により、前記設備用機器に予め設定された第１の識別情報を読み取り、該読み取った第１の識別情報を記憶しておき、前記設備用機器により、該設備用機器を識別するための、固有の第２の識別情報を該設備用機器の入力部から受け付け、該受け付けた第２の識別情報を前記設備用機器から前記制御装置へ出力し、前記制御装置により、前記出力された第２の識別情報を前記記憶した第１の識別情報に対応づけて記憶し、前記制御装置の入力部から設備用機器毎の設定温度条件を受け付け、該受け付けた設備用機器毎の設定温度条件を前記第１の識別情報及び第２の識別情報に対応づけて記憶することを特徴とする。
【０００９】
第２発明に係る通信設定支援システムは、複数の冷却装置を備える設備用機器及び該設備用機器を制御する制御装置により構成され、前記設備用機器及び前記制御装置間の通信設定を支援する通信設定支援システムにおいて、前記制御装置は、前記設備用機器に予め設定された第１の識別情報を読み取る手段と、該読み取った第１の識別情報を記憶する手段とを備え、前記設備用機器は、それを識別するための、固有の第２の識別情報を該設備用機器の入力部から受け付ける手段と、該受け付けた第２の識別情報を前記制御装置へ出力する手段とを備え、前記制御装置は、前記出力された第２の識別情報を前記記憶した第１の識別情報に対応づけて記憶する手段と、前記制御装置の入力部から設備用機器毎の設定温度条件を受け付ける手段と、該受け付けた設備用機器毎の設定温度条件を前記第１の識別情報及び第２の識別情報に対応付けて記憶する手段とを更に備えることを特徴とする。
【００１０】
第１発明及び第２発明にあっては、制御装置はプラグアンドプレイ機能を備え、各設備用機器に予め設定されたＭＡＣアドレス等の第１の識別情報を読み取る。そして、読み取った全ての各設備用機器についての第１の識別情報を記憶する。一方、設備用機器は、各設備用機器を識別するための、固有の第２の識別情報を受け付ける。そして受け付けた第２の識別情報を設備用機器から制御装置へ出力する。制御装置は、出力された第２の識別情報を、記憶した第１の識別情報に対応づけて記憶する。以上のように構成したので、管理者が設備用機器の名称を設定する際に、混同が生じることが無く、設定負担を大幅に軽減することができる。
【発明の効果】
【００１１】
管理者が設備用機器の名称を設定する際に、混同が生じることが無く、設定負担を大幅に軽減することができる。
【発明を実施するための最良の形態】
【００１２】
以下本発明を実施の形態を示す図面に基づいて詳述する。なお、以下では本発明を店舗に設置される機器及び制御装置の通信設定について適用した場合について説明するが、これに限らず、ビルディング、電車、飛行機、公園等の各施設に設置される機器及び制御装置の通信設定に適用しても良い。
【００１３】
実施の形態１
図１は本発明に係る通信設定支援システムの構成を示すブロック図である。図に示すように、機器２，２，２…には通信ケーブル１８を介して制御装置１が接続されている。図に示すように、制御装置１のＣＰＵ１１にはバス１７を介してＲＡＭ１２、ハードディスク等の記憶部１５、機器２と情報を送受信するための通信部１６、液晶ディスプレイ等の表示部１４、及びキーボード等の入力部１３が接続される。ＲＡＭ１２には記憶部１５、表示部１４、及び入力部１３等を制御するための制御プログラム１２Ｐが記憶されている。また、記憶部１５には各機器２の第１の識別情報、第２の識別情報等を記憶した設定ファイル１５１が設けられている。なお、設定ファイル１５１の内容については後述する。
【００１４】
機器２は例えば、ショーケース、空調機、自動販売機、照明機またはＰＯＳ端末装置であり、通信ケーブル１８に接続されるネットワークアダプタ２６には、ＭＡＣアドレス等の機器２を識別するための第１の識別情報が記憶されている。ネットワークアダプタ２６を介して制御装置１と機器２とが接続された場合、プラグアンドプレイ機能により制御装置１から機器２のネットワークアダプタ２６内に記憶された、第１の識別情報（ＭＡＣアドレス）を読み取り、記憶部１５の設定ファイル１５１に記憶する。なお、本実施の形態においては、制御装置１から機器２へ第１の識別情報を読み取ることとしたが、機器２から制御装置１へ記憶した第１の識別情報を送信するようにしても良い。また、以下では機器２をショーケースに適用した場合について説明する。
【００１５】
機器２内の温度条件、または霜取りタイミング等の各種設定条件は制御装置１の入力部１３から、管理者によって入力され、入力された設定条件は各機器２のＲＡＭ２２に格納される。機器２には冷媒を排出する冷却装置Ｃが設けられており、ＣＰＵ２１は、ＲＡＭ２２に格納された設定条件に基づいて、温度センサＳから出力される温度が一定となるようフィードバック制御を行う。さらに、ＣＰＵ２１にはバス２７を介して表示部２４、各機器２を識別するための、固有の第２の識別情報を入力するための入力部２３が設けられている。なお、入力部２３をプッシュボタンとして、管理者が入力部２３から直接第２の識別情報を入力するようにしても良いし、入力部２３を赤外線等の通信ポートとして、図示しない携帯端末装置に入力された第２の識別情報を受信するようにしても良い。
【００１６】
入力された第２の識別情報はＲＡＭ２２に格納された後、適宜のタイミングで制御装置１へ出力され、制御装置１は出力された第２の識別情報を、設定ファイル１５１にすでに記憶してある第１の識別情報に対応づけて記憶する。
【００１７】
図２は設定ファイル１５１のレコードレイアウトを示す説明図である。設定ファイル１５１には通信ケーブル１８の図示しない通信ポートの通信ポート番号に対応させて機器２，２，２…の第１の識別情報、及び第２の識別情報等を記憶している。通信ポート番号はネットワークアダプタ２６に嵌合される図示しない通信ポートに、接続ケーブルの上流から下流に従って順に付与される番号である。第１の識別情報は、ネットワークアダプタ２６に記憶されているＭＡＣアドレスであり、各機器２のＩＥＥＥ指定値またはメーカー指定値がそれぞれ記憶されている。記憶部１５にはＭＡＣアドレスに対応する図示しないＭＡＣアドレステーブルが設けられている。ＭＡＣアドレステーブルにはＭＡＣアドレスに対応づけて機種名、メーカー名、その他の機種情報が記憶されており、制御装置１のＣＰＵ１１は、機器２から読み取った第１の識別情報（ＭＡＣアドレス）とＭＡＣアドレステーブルとを参照して機種情報を抽出して、設定ファイル１５１の機種情報フィールドに記憶する。
【００１８】
第２の識別情報は、店舗の管理者等が機器２の入力部２３から、その機器２に固有に付与した名称である。例えば図２に示すように、各ショーケースを識別するために、ショーケース内の陳列商品に応じた名称を付与する他、ショーケースの配置場所等の情報を付加してもよい。例えば「２階第１コーナ野菜ケース」の如きである。これにより、管理者は機器２の近辺にいながら機器の名称（第２の識別情報）を設定することが可能となるため、機器２に、他の機器２の名称を設定してしまうというヒューマンエラーを防止することが可能となる。
【００１９】
設定条件は、機器２の設定温度が記憶されている。設定条件は管理者が制御装置１の入力部１３から入力し、設定温度の他、霜取りタイミング等を設定することができる。
【００２０】
図３は本発明に係る通信設定支援方法の処理手順を示すフローチャートである。まず、機器２のネットワークアダプタ２６を通信ケーブル１８に接続する（ステップＳ３１）。制御装置１はプラグアンドプレイ機能により接続された機器２の、ネットワークアダプタ２６内に予め記憶された第１の識別情報を読み取る（ステップＳ３２）。読み取り後、制御装置１は読み取った第１の識別情報を記憶部１５の設定ファイル１５１に記憶する（ステップＳ３３）。
【００２１】
管理者は機器２の入力部２３から適当な第２の識別情報を入力する。機器２は入力された第２の識別情報を受け付け（ステップＳ３４）、ＲＡＭ２２に格納する。そして適宜のタイミングでＲＡＭ２２に格納した第２の識別情報を読み出して制御装置１へ出力する（ステップＳ３５）。なお、本実施の形態においては、第２の識別情報を管理者が入力部２３に備わるプッシュボタン等から入力しているが、これに限らず、入力部２３を赤外線ポート（受信用）としておき、図示しない携帯端末装置により第２の識別情報を入力し、図示しない携帯端末装置の赤外線ポート（送信用）から入力部２３の赤外線ポート（受信用）へ入力された第２の識別情報を送信しても良い。この場合入力部２３は間接的に入力された第２の識別情報を受け付け、制御装置１へ出力する。
【００２２】
制御装置１は出力された第２の識別情報を、ステップＳ３３において記憶した第１の識別情報に対応づけて記憶する（ステップＳ３６）。最後に管理者は、制御装置１の入力部１３から設定温度等の設定条件を機器２毎に入力する。入力された設定条件は受け付けられ（ステップＳ３７）、受け付けられた設定条件は、第１の識別情報及び第２の識別情報に対応づけて設定ファイル１５１に記憶される（ステップＳ３８）。
【００２３】
実施の形態２
実施の形態１は、第２の識別情報の入力を入力部２３へ行っていたが、実施の形態２は携帯端末装置３を用いて第２の識別情報を入力し、入力した第２の識別情報を所定のタイミングで直接制御装置１へ送信するものである。
【００２４】
図４は実施の形態２に係る通信設定支援システムの構成を示すブロック図である。図に示すように制御装置１のターミナルアダプタ１９と通信網Ｎを介して携帯電話装置、ＰＯＳ端末装置、ＰＤＡ装置、またはノート型パーソナルコンピュータ等の携帯端末装置３とが接続されている。携帯端末装置３はプッシュボタン等の入力部３３を備え、管理者は携帯端末装置３の入力部３３から第２の識別情報を入力し、インターネット等の通信網Ｎ及びターミナルアダプタ１９を経由して、入力された第２の識別情報を制御装置１へ送信する。
【００２５】
この場合、携帯端末装置３から送信された第２の識別情報が、機器２群の内どの機器２に係るものであるかを識別するための情報を制御装置１へ伝達する必要がある。そのため、機器２の入力部２３から、一の機器２を、他の機器２群から識別するための第３の識別情報を、管理者において入力する。第３の識別情報としては、例えば一の機器２を電源オンとしておき、一方、他の機器２群の電源をオフとして、このオン・オフの信号を制御装置１へ出力する。制御装置１では現在どの機器２がオンであるかを認識できるので、この状態で、携帯端末装置３から第２の識別情報が送信された場合、設定ファイル１５１に第２の識別情報を第１の識別情報に対応づけて記憶する。
【００２６】
すなわち、第３の識別情報を送信することにより、制御装置１が一の機器２の第１の識別情報及び第２の識別情報を対応づけて記憶することが可能となる。第３の識別情報としては、電源オン・オフ信号を用いるほか、ショーケースの照明スイッチのオン・オフ信号、またはブロードキャスト情報を他の機器２及び制御装置１へ出力することにより第３の識別情報としても良い。
【００２７】
図５及び図６は実施の形態２にかかる本発明の通信設定支援方法の処理手順を示すフローチャートである。まず、機器２のネットワークアダプタ２６を通信ケーブル１８に接続する（ステップＳ５１）。制御装置１はプラグアンドプレイ機能により接続された機器２の、ネットワークアダプタ２６内に予め記憶された第１の識別情報を読み取る（ステップＳ５２）。読み取り後、制御装置１は読み取った第１の識別情報を記憶部１５の設定ファイル１５１に記憶する（ステップＳ５３）。続いて、機器２の照明スイッチ等の入力部２３から第３の識別情報を入力する。入力された第３の識別情報は受け付けられ（ステップＳ５４）、受け付けられた第３の識別情報は制御装置１へ出力される（ステップＳ５５）。
【００２８】
制御装置１は出力された第３の識別情報を受信する（ステップＳ５６）。この第３の識別情報を受信した後に、つまり他の機器２群から一の機器２を識別することが可能な状態で、携帯端末装置３は入力部３３から入力された第２の識別情報を受け付け（ステップＳ６１）、受け付けた第２の識別情報を携帯端末装置３から制御装置１へ送信する（ステップＳ６２）。制御装置１は送信された第２の識別情報がどの機器２に係るものであるかを第３の識別情報により認識できるため、この送信された第２の識別情報を第１の識別情報に対応づけて設定ファイル１５１に記憶する（ステップＳ６３）。具体的には制御装置１は第３の識別情報をキーに対応する接続ポート番号を認識し、認識した接続ポート番号に対応する第１の識別情報を設定ファイル１５１から読み出して、ＲＡＭ１２に格納しておく。そして、第２の識別情報が送信された場合は、ＲＡＭ１２に格納した第１の識別情報を読み出し、第２の識別情報と共に設定ファイル１５１に第１の識別情報及び第２の識別情報を記憶する。
【００２９】
最後に管理者は、制御装置１の入力部１３から設定温度等の設定条件を機器２毎に入力する。入力された設定条件は受け付けられ（ステップＳ６４）、受け付けられた設定条件は、第１の識別情報及び第２の識別情報に対応づけて設定ファイル１５１に記憶される（ステップＳ６５）。
【００３０】
本実施の形態２は以上の如き構成としてあり、その他の構成及び作用は実施の形態１と同様であるので、対応する部分には同一の参照番号を付してその詳細な説明を省略する。
【図面の簡単な説明】
【００３１】
【図１】本発明に係る通信設定支援システムの構成を示すブロック図である。
【図２】設定ファイルのレコードレイアウトを示す説明図である。
【図３】本発明に係る通信設定支援方法の処理手順を示すフローチャートである。
【図４】実施の形態２に係る通信設定支援システムの構成を示すブロック図である。
【図５】実施の形態２にかかる本発明の通信設定支援方法の処理手順を示すフローチャートである。
【図６】実施の形態２にかかる本発明の通信設定支援方法の処理手順を示すフローチャートである。
【図７】従来の機器識別方法を示す説明図である。
【図８】記憶部のレコード内容を示す説明図である。
【符号の説明】
【００３２】
１    制御装置
１３  入力部
１４  表示部
１５  記憶部
１５１設定ファイル
１８  通信ケーブル
２    機器
２３  入力部
２４  表示部
２６  ネットワークアダプタ
Ｃ    冷却装置
Ｓ    温度センサ
３    携帯端末装置
３３  入力部
Ｎ    通信網
【図１】
2007159149.tif 000003
【図２】
2007159149.tif 000004
【図３】
2007159149.tif 000005
【図４】
2007159149.tif 000006
【図５】
2007159149.tif 000007
【図６】
2007159149.tif 000008
【図７】
2007159149.tif 000009
【図８】
2007159149.tif 000010